(57)【要約】【課題】  例えば柱上開閉器などの屋外配電機器内に、何らかの原因により浸水があった場合に、当該浸水の貯留状況を検出することができる浸水検出装置、および当該検出装置を備えた柱上開閉器の提供。【解決手段】  本発明の浸水検出装置は、屋外配電機器が備える外箱の底板の一部に穿設した開口（１０１）を貫通して内部に所定の高さだけ開口上端が突出するように設けられた有底円筒状の透明ないし半透明な筒体（１８）と、前記開口上端またはその上方領域に形成された支点によって略中間が支持され、両端が揺動自在とされた揺動アーム機構（２６）と、その一端に回動可能に連結され、前記外箱内の貯留水位に応じて上下動するフロート（３０）と、前記揺動アーム機構の他端に回動可能に連結され、これにより前記フロートの上下動に連動して前記筒体内部を上下に移動する標示棒（３２）とを備える。外箱を備える屋外配電機器としては、柱上気中開閉器が好ましい。【選択図】  図１
2009087881.tif 000002
【特許請求の範囲】
【請求項１】
柱上開閉器などの屋外配電機器が備える外箱の底板の一部に穿設した開口を貫通して内部に所定の高さだけ開口上端が突出するように設けられた有底円筒状の透明ないし半透明な筒体と、前記開口上端またはその上方領域に形成された支点によって略中間が支持され、両端が揺動自在とされた揺動アームと、その一端に直接または間接的に回動可能に連結され、前記外箱内の貯留水位に応じて上下動するフロートと、前記揺動アーム機構の他端に回動可能に連結され、これにより前記フロートの上下動に連動して前記筒体内部を上下に移動する標示棒とを備えてなることを特徴とする浸水検出装置。
【請求項２】
前記筒体、揺動アーム、フロートおよび標示棒、ならびにこれらを連結する各部材は絶縁性材料により形成されてなる請求項１に記載の浸水検出装置。
【請求項３】
外箱の対向する側壁を貫通固定された電源側および負荷側のブッシングにそれぞれ接続された開閉機構部を前記外箱内に備える柱上開閉器において、前記外箱の底板の一部に穿設した開口を貫通して内部に所定の高さだけ開口上端が突出するように設けられた有底円筒状の透明ないし半透明な筒体と、前記開口上端またはその上方領域に形成された支点によって略中間が支持され、両端が揺動自在とされた揺動アームと、その一端に直接または間接的に回動可能に連結され、前記外箱内の貯留水位に応じて上下動するフロートと、前記揺動アーム機構の他端に回動可能に連結され、これにより前記フロートの上下動に連動して前記筒体内部を上下に移動する標示棒とを備え、前記各部およびこれらを連結する各部材は絶縁性材料によって形成されてなる浸水検出装置が設けられてなることを特徴とする柱上気中開閉器。
【請求項４】
前記外箱は、絶縁性を有する区画板によって上下２室に区画されており、前記区画板は前記開閉機構部の下側に位置する部分が下方に向けて凸状に湾曲し、その最下部分に貫通穴を有する凹面部が形成されてなる請求項３に記載の柱上気中開閉器。
【請求項５】
前記外箱の前記筒体の開口上端と略同等の高さレベルより下側の内周壁および底板には、少なくともその一部に水を着色する着色剤の塗布層が設けられている請求項３または４に記載の柱上気中開閉器。
【発明の詳細な説明】
【技術分野】
【０００１】
本発明は、例えば柱上開閉器などの屋外配電機器の外箱の底板に取り付けられ、腐食などによって当該外箱内に雨水などが浸入した場合に内部の浸水の貯留状況を検出することができる浸水検出装置、および当該装置を備えた柱上気中開閉器に関する。
【背景技術】
【０００２】
架空配電線路においては、電柱などの支持物の上部に柱上開閉器や柱上変圧器などの屋外配電機器が所定の区域ごとに設置されている。例えば、柱上開閉器のうち、柱上気中開閉器（以下、単に開閉器ということがある。）については、通常、耐食性塗装を施した所定形状の鉄製の外箱を備えるが、時間経過に伴いこの外箱上部の天板などの部位の腐食が進行し、腐食が著しい場合には穴開き（以下、この穴を「腐食穴」という。）により雨水などが内部に浸入し、短絡事故などの重大事故の原因となることがある。
【０００３】
このような開閉器の外箱の腐食による劣化状況は、従来より定期的な巡視点検の際に地上から双眼鏡などを用いて目視で確認されていた。しかし、このような地上からの目視による点検では、外箱の腐食状況や穴あき状況を確認することは非常に困難であり、点検者によってその点検結果に差が生じることがあった。また、開閉器の外箱には外観上は著しい腐食が認められなくても、例えば外箱における溶接部分の一部に微小な穴あきが生じている場合もあり、このような微小な穴を見逃してしまうこともあった。
【０００４】
そのため、従来より、開閉器内部への浸水の有無を外部から目視によって検出できるようにした検出装置が提案されている。例えば、特許文献１〜３記載の検出装置は、開閉器外箱の底面の一部に穿設した開口に透明でかつ小型の水貯留槽を設け、該貯留槽内における水の有無を外部から視認可能な検出手段が設けられたものである。そして、これらの特許文献では、検出手段として、水を着色可能な着色剤や水の浮力により前記水貯留槽内部を上下に移動する浮子などが開示されている。これらの文献記載の浸水検出装置は、開閉器の外箱内に少量でも浸水があったか否かを検出することを想定して考え出されたものであり、水貯留槽の容積を小さく設定することで、外箱内に少量の浸水がありそれが当該水貯留槽内に流れ込んだだけでも外部から目視にて確認できる利点がある。しかし、その反面、例えば開閉器外箱の腐食とは無関係に内部の結露によって発生した結露水が水貯留槽内に溜まることが予想され、その場合にもこれらの検出装置では浸水があったことを検出してしまうという問題がある。また水貯留槽内に浸水が充満した後は、開閉器内部の水の貯留状況を検出することができないといった問題もある。
【０００５】
仮に、前記浸水調査装置や前記特許文献記載の検出装置によって開閉器外箱に発生した腐食穴を通して内部に浸水していると確実に認められた場合には、当該水の貯留により短絡事故などの重大事故の発生する危険性があるので、当該開閉器の取替え工事の準備を開始することとされている。この取替え工事には電路の停電を伴うため、その地域の電力需要家へ工事内容や工事による停電時期などの周知を図り、また新たな開閉器などの資機材の調達なども必要であることから、準備開始から実際に取替え工事を行なうまでに、通常、約２ヶ月程度の時間を要する。その間に開閉器の外箱内の貯留水位が上昇し内部の充電部に接近することで、その危険性は著しく高くなるので、当該貯留水位の経時変化を追跡調査することが必要となる。しかし、前記した浸水調査装置や特許文献の検出装置では、開閉器外箱内における貯留水位の経時変化を検出できないことから、貯留水位の経時変化を検出できる装置の開発が要請されていた。
【特許文献１】実開平７−８９３６号公報
【特許文献２】特開平８−７７１９号公報
【特許文献３】特開平１０−９２２７３号公報
【発明の開示】
【発明が解決しようとする課題】
【０００６】
本発明は、前記事情に鑑みなされたものであり、その目的とするところは、例えば柱上開閉器などの屋外配電機器の外箱内に何らかの原因により浸水した場合に、当該浸水の貯留状況を検出することができる浸水検出装置、および当該検出装置を備えた柱上気中開閉器を提供することにある。
【課題を解決するための手段】
【０００７】
前記目的を達成するために、本発明の浸水検出装置は、柱上開閉器などの屋外配電機器が備える外箱の底板の一部に穿設した開口を貫通して内部に所定の高さだけ開口上端が突出するように設けられた有底円筒状の透明ないし半透明な筒体と、前記開口上端またはその上方領域に形成された支点によって略中間が支持され、両端が揺動自在とされた揺動アームと、その一端に直接または間接的に回動可能に連結され、前記外箱内の貯留水位に応じて上下動するフロートと、前記揺動アームの他端に回動可能に連結され、これにより前記フロートの上下動に連動して前記筒体内部を上下に移動する標示棒とを備えてなることを特徴とする。
【発明の効果】
【０００８】
本発明の浸水検出装置は、浸水の貯留水位に応じてフロートをその浮力によって上下動させ、その上下動に連動する揺動アーム機構を介しての標示棒の上下移動を筒体を通して外部より視認できるようにしたので、本発明の浸水検出装置を例えば柱上開閉器などの外箱を備えた屋外配電機器に取り付けることで、浸水が外箱内に貯留しているか否かとともに、貯留している場合にはその後の外箱内における浸水の貯留状況（経時によって貯留水位がどのように変化するか）を目視にて確認することができる。
【発明を実施するための最良の形態】
【０００９】
以下、添付図面を参照して、本発明の実施形態について説明するが、本発明はこれらの実施形態に限定されるものではない。なお、以下の各図では、同一または共通の各部については同一の符号を付し、以下ではこれら各部についての重複した説明は省略する。
【００１０】
本発明の浸水検出装置は、柱上開閉器および柱上変圧器などの電柱上部に設置される屋外配電機器や架空配電線路に取り付けられる種々の計測器（以下、これらをまとめて屋外配電機器という。）における外箱の底板に取り付けることができる。好適には、柱上開閉器のうち、柱上気中開閉器に用いるのがよい。以下では、屋外配電機器としてこの柱上気中開閉器を例にとり、当該開閉器の外箱底板に取り付けられる本発明の浸水検出装置および当該柱上気中開閉器の実施形態についてそれぞれ説明する。
【００１１】
［実施形態１］
図１は、実施形態１を説明するための浸水表示装置の正面図である。この図に示すように、本実施形態の浸水検出装置１は、筒体１８、揺動アーム２６、支持アーム２８、フロート３０および標示棒３２から構成されている。なお、符号１０は、例えば柱上気中開閉器の外箱における底板の一部を示すものとする。
【００１２】
底板１０には、その一部に内外に貫通し、本発明の浸水検出装置の筒体１８（後述）を挿通可能な開口１０１が穿設されており、その内周面には雌ねじが刻設されている。底板１０におけるこの開口１０１の穿設位置については特に制限されず、例えば略中央であってもよく、いずれかの側壁寄りであってもよい。
【００１３】
筒体１８は、長さ方向一端に半球状の底が設けられ、他端には開口を有する透明ないし半透明なガラス製または合成樹脂製の成形体であり、その略中間の外周面には底板１０の開口１０１の雌ねじに螺合可能な雄ねじ部１８ａおよびその底側にこれに近接して当該筒体１８の径方向外方に向けて鍔部１８ｂが延設されている。この鍔部１８ｂは、筒体１８に公知の方法により一体に固着されまたはこれと一体に成形されていてもよく、雄ねじ部１８ａの下端側に螺合して固定されるようなものであってもよい。
【００１４】
筒体１８は、外箱底板１０の開口１０１に開口上端１８ｃを外箱１０の内部に向けてその外周面に設けられたねじ部１８ａを開口１０１の周面のねじに螺合することで底板１０に固定される。その際、図１に示すように、筒体１８の外径よりも僅かに大きい内径を有する円環状のパッキン１９を鍔部１８ｂと開口１０１周縁部分とによって上下に押圧することにより、開口１０１の内周面と筒体１８のねじ部１８ａとの間の隙間を通しての水の浸出入を防止しておくのがよい。このように底板１０に固定されることで、筒体１８の開口上端１８ｃは、底板１０の内面から所定の高さだけ内部に突出した状態とされる。この所定の高さは、本発明の浸水検出装置を取り付ける屋外配電機器の内部構造などを考慮して適宜設定できる。好ましくは、前記のとおり貯留水面が外箱１８内の充電部に接近するほど、短絡事故などの事故の発生する危険性は高くなるので、底板１０の上面から当該充電部までの距離の約１／２程度を最大限許容可能な危険レベルとして設定し、前記所定の高さをこの危険レベルと略合致させるのがよい。例えば、柱上気中開閉器の場合であれば、製造業者ごとに仕様（主には開閉機構部下の空間の大きさ）が異なるので一概にはいえないが、この高さは、通常、２０〜５０ｍｍとされる。
【００１５】
筒体１８の開口上端縁１８ｃの一部からは、支柱２１が鉛直方向上方に向けて立設されており、その上端には軸支部２３が設けられている。この支柱２１は、筒体１８の開口上端に接着、ねじ留めなどの公知の方法で固定してもよく、筒体１８と同じ材料で形成されている場合には一体に成形されていてもよい。
【００１６】
揺動アーム２６は、図１に示すように、その略中間が軸支部２３を介して支柱２１の上端に連結され、該軸支部２３を支点として両端がシーソーのように鉛直方向に揺動自在とされている。揺動アーム２６の一端（図に向って左側の端部）には、軸支部２７を介してフロート支持アーム２８の一端が回動可能に連結されており、その他端はフロート３０に連結されている。また、揺動アーム２６の他端（図に向って右側の端部）には、標示棒３２が軸支部２９を介して回動可能に連結されている。この揺動アーム２６の長さは、これの両端に連結されるフロート３０および標示棒３２の構造や配置などを考慮して適宜設定できるが、前記支点（軸支部２３）と前記軸支部２９との軸心間距離は、標示棒３２が筒体１８内で支障なく上下動可能とされる程度の長さに設定されるのが好ましい。また、揺動アーム２６の断面形状については特に制限されず、公知の形状（例えば、円形、楕円形；三角形、四角形などの多角形など）のなかから任意に選択できる。
【００１７】
支柱２１、揺動アーム２６、支持アーム２８およびこれらを連結する軸支部２３、２７、２９に含まれる各軸は、金属などの導電性材料で形成されていてもよく、ガラスや硬質合成樹脂などの絶縁性材料で形成されていてもよいが、本実施形態のように柱上気中開閉器に取り付けられる場合には、これらは前記に例示した絶縁性材料で形成されていることが好ましい。
【００１８】
フロート３０は、図１では、筒体１８と同心円状に配置され、その外径よりも大きい内径を有する円環状の中空体を用いている。なお、フロート３０はこのような形態に限定されず、外箱内の貯留水位に応じて浮力によって上下動するものであれば、円環状や中空体以外の形状および構造を備えたものとすることができる。このフロート３０の材質は、耐食性や耐候性に優れ、耐用寿命が本実施形態が取り付けられる柱上開閉器のそれと略同等かそれ以上であるものであることが好ましく、さらには絶縁性を備えたものであることがより好ましい。具体的な素材としては、硬質または軟質の合成樹脂などが挙げられる。
【００１９】
標示棒３２は、その長さ方向に直交する断面が円形、楕円形、三角形、四角形などの公知の形状を備えた棒状体である。その周側面は、図１に示すように、その下端から一定の長さ（例えば１ｃｍ）ごと色分け標示されている。この標示は、例えば２色の有色テープを交互に標示棒に貼付することにより得ることができる。このように色分け標示されていることで、この標示棒の移動量（外箱内部の貯留水位の増加量）を概略的な数値により具体的に知ることができる。なお、標示棒３２は、外部から筒体１８を通して当該標示棒３２の移動量を視認できれば、前記のようにその周側面に色分け標示されている必要はなく、例えば下端部の周側面のみ着色されているものであってもよい。
【００２０】
また、この標示棒３２の長さは、外箱１０内の貯留水位が上昇によるフロート３０の浮き上がりに伴い、該標示棒３２の下方への移動量が筒体１８の周壁を通して外部から視認できれば特に制限されないが、好ましくはその下端が底板１０の下面と略面一か当該面から僅かに下方に突出する位置にくるような長さに設定するのがよい。標示棒３２をこのような長さに設定しておくことで、外箱１０内に浸水が貯留し始める初期の段階から、標示棒３２の移動量を確実に外部から確認できるようになる。
【００２１】
この標示棒３２は、揺動アーム２６などと同様に導電性材料または絶縁性材料のいずれで形成されていてもよいが、本実施形態のように柱上気中開閉器に取り付けられる場合には、絶縁性材料で形成されていることが好ましい。具体的な素材としては、硬質の合成樹脂などが挙げられる。
【００２２】
外箱１０の天板に生じた腐食穴などを通して浸入した水が内部に貯留した場合、フロート３０はその水位に応じて浮力により上方に移動する。このフロート３０の上方への移動によってフロート支持アーム２８を介して軸支部２７を押し上げる。その結果、揺動アーム２６は、フロート３０の上方への移動に連動し、軸支部２３を支点として他端側が下降する方向に傾き、そこに連結されている標示棒３２を下方に移動させる。このように、外箱内部の浸水の貯留水位に応じてフロートは上方に移動し、揺動アーム２６を介して標示棒３２を下げる方向に移動させることで、標示棒３２の周側面の色分け標示または下端の位置を透明な筒体１８を通して外部から目視で確認できるようになる。特に、標示棒３２の下端が水の貯留がない状態で底板外面と面一となる長さに設定することで、腐食によって浸水があり、内部に貯留した場合に始めて内部の貯留水位に応じてフロート３０が上方に移動した分だけ標示棒３２が下方に移動し、外箱１０の開口から下端が突出するので、定期的な巡視点検の際には、点検者は当該開閉器内への浸水状況をより簡単に視認することができる。
【００２３】
［実施形態２］
図２は、実施形態２を説明するための浸水検出装置の正面図を示している。この図に示す浸水検出装置１は、揺動アーム２６の一端がフロート３０に軸支部２７を介して連結されている点が図２に示す浸水検出装置と異なっており、それ以外の構成および動作については本質的に変わるところはない。また、各部の材質についても実施形態１と同様である。
【００２４】
［実施形態３］
図３は、実施形態３を説明するために、図１に示す実施形態の浸水検出装置を取り付けた柱上気中開閉器の側面断面図を示している。この図において、本実施形態の柱上気中開閉器１は、外箱１０の対向する面に、不図示の電源側ケーブルおよび負荷側ケーブルが電気的に接続される電源側ブッシング１１および負荷側ブッシング１２がそれぞれこの図の奥行き方向に３列配設され、これらのブッシング１１，１２の間には開閉機構部１６が設けられている。開閉機構部１６は、電源側ブッシング１１の外箱１０の内部側の先端部に設けられた固定接触刃１３と、各負荷側ブッシング１２の外箱１０内部側の先端部に設けられた可動接触刃１４とから構成されている。この可動接触刃１２は、正面視略「く」の字状を呈しており、その負荷側ブッシング１２との連結端では軸１５を軸支しており、これにより負荷側ブッシング１２に対して回動可能とされている。この軸１５の長さ方向一端には、操作ハンドルが設けられており、このハンドルを操作することで可動接触刃１２を回動させて固定接触刃１３に抜き差しすることができ、これにより、この開閉器の入・切ができるようになっている。外箱１０の底板（１０）には、浸水検出装置１が設けられている。この浸水検出装置１についてはすでに説明したので、ここでは重複した説明は省略する。
【００２５】
本実施形態３における開閉器では、図３に示すように、さらに外箱内部に絶縁性の区画板３を設けることで、開閉機構部１６を含む上側区画室とその下に位置する下側区画室の２室に区画することができる。この区画板３を絶縁性材料で形成するのは、固定接触刃１３および可動接触刃１４による電路の開閉の際のアークによって損傷を受けないようにするためである。好適な絶縁性材料としては、硬質の合成樹脂などが挙げられる。
【００２６】
この区画板３は、開閉器外箱１０の内部にて可動接触刃１４の外部からの操作による回動動作に支障をきたさないように、その全体または略中央部分に下側に凸状に湾曲した凹面部３６が形成され、その最下部には前記上下２室を連通する貫通穴３８が穿設されているのが好ましい。このような区画板３の形状の例を図４および図５に示す。これらの各図において、（ａ）は区画板３の斜視図、また（ｂ）は（ａ）の斜視図におけるＡ−Ａ矢視図である。
【００２７】
図４に示す区画板３は、開閉器１の外箱１０の内周壁に四周が固定される平面視略矩形の周縁部３４と、その中央領域に下側に凸状に膨出形成された凹面部３６とから構成されている。この凹面部３６は、固定接触刃１３および可動接触刃１４からなる開閉機構部１６の直下において可動接触刃１４の回動の支障のない位置に配置されるものである。凹面部３６の中央には、貫通穴３８が穿設されている。また、図５に示す区画板３は、外箱１０の内周壁に四周が固定される平面視略矩形を呈し、その全面が下側に凸状に膨出した凹面部３６が形成され、その最下部となる略中央部分には貫通穴３８が穿設されている。
【００２８】
貫通穴３８は、その直下に浸水検出装置１が設置されている場合には（図３参照）、当該装置１の筒体１８の外径よりも大きい直径に設定し、筒体１８と同心に配置するのが好ましい。また、浸水検出装置１が貫通穴３８の直下に設置されない場合には、貫通穴３８の直径については特に制限されず、常識的な範囲内で任意に設定できる。
【００２９】
このような絶縁性の区画板３を設けることで、開閉器１の天板などに生じた腐食穴から浸入した水は、この区画板３上凹面部３４をつたってその中央領域に移動し、この貫通穴３８を通して下側区画室に流れ落ち、当該室内に貯留される。また、このように開閉器１の内部に区画板３を設けることで、下側の区画室内に流れ落ち、はね返った水が開閉機構部１６に達するのを防止することができる。
【００３０】
この柱上気中開閉器２では、前記のように、浸水による下側区画室内の貯留水位が浸水検出装置１を構成する透明な筒体１８の開口上端１８ｃに達するまでは、貯留水位に応じて当該筒体１８内を標示棒３２が下方に移動し、さらに貯留水位が開口上端１８ｃを超えた場合に筒体１８内に流れこむことになる。
【００３１】
本実施形態の開閉器にはさらに、外箱１０の下側の区画室の内面に水を着色可能な着色剤の塗布層４を設けておくことができる。この着色剤塗布層４は、図３では、下側区画室を取り囲む底板１０の開口周辺を除く全面と、周壁の筒体１８の開口上端１８ｃと略同等の高さレベルよりも下側に設けることとしているが、これに限定されず、前記範囲内の任意の一部にこれを設けるようにしてもよい。使用される着色剤は、水に溶解または懸濁し、これを着色することができるものであれば特に制限されず、公知の薬剤を使用できる。水に溶解しない着色剤を用いる場合には、当該着色剤成分と分散剤などの公知の添加剤成分とを混合した組成物であってもよい。また、このように、下側区画室内の貯留水を着色することで、この貯留水位が上昇し、筒体１８の開口上端１８ｃよりその内部に流れ込んだ場合に、当該開閉器内の貯留水位が危険レベルに達したことを外部から直接目視によって視認できるようになる。
【００３２】
以上説明したように、本実施形態の柱上気中開閉器では、主に外箱の天板などの所定の部位に生じた腐食穴を通して外箱内に浸入した水の貯留水位が本発明の浸水検出装置における筒体の開口上端に達しない場合には、その水位に応じて標示棒が透明な筒体を下方に移動することで、外部から外箱内部の貯留水位を視認することができ、これにより外箱内に浸水した後の内部の貯留水位を追跡調査することが可能となる。また、貯留水位が前記筒体の開口上端を超えた場合には、内部の着色された貯留水が筒体内部に流れこむことで、内部の貯留水位が危険レベルに達したことを外部から視認することができる。この場合、通常の開閉器取替え工事の準備を早めて緊急に工事を行うなどの対応策を講じるよう、適宜運用手順を決めておけばよい。
【００３３】
なお、屋外配電機器が例えば油入型柱上変圧器である場合には、当該変圧器に図１に示す実施形態の浸水検出装置を好適に設置することができる。この場合、鍔部から開口上端までの距離の長い筒体１８を用意し、まず当該筒体１８を内部の変成部の隙間を通して絶縁油面上の気中部分にその開口上端１８ｃが突出するように取り付ける。その際、筒体１８内に絶縁油が入らないように開口上端を塞いでおくのがよい。この筒体１８の底板からの突出長さは、絶縁油の膨張による油面上昇分を考慮して設定される。そして、フロート３０を外箱内部の絶縁油には沈み、水には浮くような材質によって形成し、これに支持アーム２８の一端を取り付け、他端を絶縁油上の揺動アーム２６に回動可能に連結すればよい。これにより、油入型柱上変圧器においても本発明の浸水検出装置によって浸水による外箱内の貯留状況を検出でき、またさらに水位が上昇した場合には、絶縁油が筒体１８内に流れこむので、内部の貯留水位が危険レベルに達したことを外部から視認でき、その場合には緊急の対応策を講じることができる。
【図面の簡単な説明】
【００３４】
【図１】本発明の浸水検出装置の実施形態の一例を示す正面図である。
【図２】本発明の浸水検出装置の実施形態の別の例を示す正面図である。
【図３】図１に示す浸水検出装置を備えた柱上変圧器の一例を模式的に示す断面側面図である。
【図４】本発明における区画板の一例を示す図である。
【図５】本発明における区画板の別の例を示す図である。
【符号の説明】
【００３５】
１    浸水検出装置
２    柱上気中開閉器
３    案内板
４    着色剤塗布層
１０    外箱
１１    電源側ブッシング
１２    負荷側ブッシング
１３    固定接触刃
１４    可動接触刃
１５    軸
１８    有底円筒状の透明な筒体
１８ａ    ねじ部
１８ｂ    鍔部
１８ｃ    開口上端
１９    円環状パッキン
２１    支柱
２３、２７、２９    軸支部
２６    揺動アーム
２８    フロート支持アーム
３０    フロート
３２    標示棒
３４    周縁部
３６    凹面部
３８    開口
【図１】
2009087881.tif 000003
【図２】
2009087881.tif 000004
【図３】
2009087881.tif 000005
【図４】
2009087881.tif 000006
【図５】
2009087881.tif 000007